Podtech/llm-jp-corpus-v4-ja_patent huggingface dataset:
(57)【要約】      （修正有）【課題】格子の強度を増し防護柵として設置でき、又、文字、記号、模様などをメンテナンス不要で永久に表示できる特徴ある柵であって、コストが安くできる格子柵を構築する。【解決手段】市販されている平鋼を使用して、一定箇所、一定間隔で１８０度毎にねじりを加え、曲げ強度を増した格子３を数本から数十本連ねたねじり格子柵であり、又、前記のねじり箇所を予め一定の位置で文字、記号、模様を描き、アート格子として製作し、数本から数十本列ねて文字、記号、模様を表示でき、又メンテナンス不要で永久に文字、記号、模様を表示できる。【選択図】図１
2012026195.tif 000002
【特許請求の範囲】
【請求項１】
柵、フェンス、門扉などを、平鋼、角及び丸棒又はパイプなどで数本からなる格子を構成し製作する際、その格子１本ずつに一定箇所、一定間隔で１８０度毎にねじりを加え、曲げ強度を増した格子を数本から数十本連ねたねじり格子柵。
【請求項２】
前記のねじり箇所を予め一定の位置で文字、記号、模様を描き、アート格子として製作し、数本から数十本列ねて文字、記号、模様を表示でき、又メンテナンス不要で永久に文字、記号、模様を表示できるねじり格子柵。
ページ（１）
【発明の詳細な説明】
【技術分野】
【０００１】
本発明は、柵等で使用される平鋼の格子を一定箇所で１８０度ねじり、さらに一定間隔毎に１８０度にねじることで平鋼の曲げ強度を増し、又、その格子を連ねることにより、人が格子より侵入を防止できる防護柵として設置できると共に、柵にねじり箇所を一定の位置で揃えることにより、文字、記号、模様などのアートデザインを描けるＭＳＫねじり格子柵に関するものである。
【背景技術】
【０００２】
従来、柵、フェンス等で使用されている格子は、平鋼、丸及び角棒又はパイプであるが、ねじったりひねったりの加工はせず、無垢のままで使用しているのが通例である。
【０００３】
又、柵、フェンス等で防護の目的で設置する場合には、格子の板厚を異常に厚くするか、パイプ等使用せず無垢のバーを使用するのが常である。
【０００４】
又、フェンスや柵に格子でデザインとして表現するには、塗料でデザインを描くか又は、平鋼など寸断し組立て端面を溶接などして模様を描いている例はある。
【０００５】
特許文献を調査したが、ねじれ格子柵に関する文献が存在しない。
【発明の開示】
【発明が解決しようとする課題】
【０００６】
上記、格子柵を防護の目的で製作する場合、通常は平鋼又はパイプ等で無垢のまま使用するが、無垢のままであると強度が弱く、又コストも高くつき、格子を人がこじ開けて侵入するまたは車などが衝突し破損で人の侵入の可能性がある。
【０００７】
上記、格子柵の強度を増す為に焼き入れ鋼を使用すると引っ張り強度、せん断力は増すが、鋼自体の粘り力が無く、衝撃には適しない。
【０００８】
そこで本発明者は、上記格子を焼き入れ処理をしていない生の平鋼を事前にねじることにより強度を増すと共に鋼の粘り力を利用できることに着眼し、格子に１８０度ねじることを考案することにより格子柵を構成し、廉価で製作することで本発明に至った。
【課題を解決するための手段】
【０００９】
上記の目的を達成する為に、本発明は、次のように構成されている。
【００１０】
請求項１に記載の発明は、平鋼である格子を一定箇所、一定間隔で１８０度ねじり、ねじり格子３を構成し、数本から数十本連ねる事により格子柵を製作することを特徴とするねじり格子柵である。
【００１１】
請求項２に記載の発明は、従来は格子柵に文字、記号を表示する場合はペイントなどで描くのが通例であるが、格子を一定箇所、一定間隔でねじることによりねじった部分が模様となり、文字、記号、模様などを描くことが出来、アート格子柵として利用することを特徴とするねじり格子柵である。
【発明の効果】
【００１２】
上記のように、本発明のねじり格子柵は、外部から侵入を防止する為の格子柵であり格子自体の強度が必要であるが、未処理品で市販の平鋼を１８０度ねじることにより格子自体にねばり強度を与え格子本来の目的を有するねじり格子を製作することが出来る。
【００１３】
その上、本発明のねじり格子柵は、この格子のねじり部分を一定箇所、一定間隔でねじる事により、このねじり部分が模様を成し、文字や記号または模様として利用することが可能となり、ペイントなどで後から文字や記号又は模様として描くことをしなくてよく、コストも安く格子柵を製作することが出来る。
【発明を実施するための最良の形態】
【００１４】
以下、本発明の実施の携帯を図面を用いて説明する。
【００１５】
尚、この実施形態では、防護柵として設けたMSK-24-3型ねじり格子柵について説明するが、本発明は、これに限らず、防護柵を含めた柵全般、フェンス又は門扉などの全般に適用する。
【００１６】
図１は、本発明の実施形態のMSK-24-3型ねじり格子柵を示す立面図であり、上下胴縁２を支える支柱１とその支柱間に本発明のねじり格子３で構成されている。
【００１７】
このねじり格子３は、市販されている焼入れ処理されていない生の平鋼を使用しており、図１に示すようにひし形で表示している部分は１８０度ねじった部分を表示しているが、一定箇所、一定間隔でねじった状態になっている。
【００１８】
上記のように、平鋼を１８０度ねじる事により鋼に硬性を与え強度を増すと共に、生鋼本来のねばり力を生かした格子として使用することが出来、格子長さに応じて一定間隔に１８０度ねじる事で柵に利用することができる。
【００１９】
上記の工法を用いたねじり格子３を一定間隔で数本から数十本連ねる事により、格子柵を形成し防護柵として使用することができる。
【００２０】
又、上記の工法を用いたねじり格子３を、請求項２に記載の発明のように、予め図面上でねじり格子３のねじり箇所を模様として扱い文字、記号、模様を描くことでアートとなり、指定された箇所をねじり、ねじり格子３を製作しそのねじり格子３を連ねる事により、アーク柵を形成することができる。
【００２１】
このアート柵として使用する時は、ねじり箇所の形だけで文字、記号、模様を描くことができるので、塗装などで後ろから文字、記号、模様などのアートを描き、又数年後の塗装の剥がれなどにより修繕するなどのコストを必要とせず、永久に文字、記号、模様を描き続けるアート柵となる。
【図面の簡単な説明】
【００２２】
【図１】本発明に係るMSK-24-3型ねじり格子柵の正面図である。
【符号の説明】
【００２３】
１      支柱
２      上下胴縁
３      ねじり格子
【図１】
2012026195.tif 000003
(57)【要約】【課題】本特許は、洋式便器に男性が立ったまま放尿すると、小水が便器内の水面に当たり其の飛沫が飛び散り外部の床を汚す等のため、主婦に座って小用をと言われるが、男の沽券に係わると中々承知しません。【解決手段】洋式便器１に圧縮空気ポンプ７を取り付け、便座２の内周下面３に斜め下方に穴４を開けたパイプ５を取り付け、圧縮空気をパイプ５の中に送り、パイプ５の穴４より高圧空気１０を斜め下方に吹き出させ、水面８及び便器１の内面９に当たり飛散する飛沫を、吹き出した高圧空気１０にて防ぐようにした、圧縮空気の吹き出しによる洋式便器の飛沫防止。【選択図】図１
2012026252.tif 000002
【特許請求の範囲】
【請求項１】
洋式便器の便座の内周下面に、斜め下方に向けて多数の穴を開けたパイプを設け、便器内に圧縮空気ポンプを取り付け、斜め下方に多数開けたパイプの穴より圧縮空気を斜め下方に吹き出し、放尿時の飛沫を斜め下方に吹き出した空気により防ぐ、圧縮空気の吹き出しによる洋式便器の飛沫防止。
【請求項２】
洋式便器の便座が乗る面の内周下面に、パイプ状の空洞を設け、斜め下方に多数の穴を開け、圧縮空気ポンプから空洞に圧縮空気を送り、空洞に開けた穴より空気を斜め下方に吹き出し、放尿時の飛沫を吹き出した空気により防ぐ請求項１記載の、圧縮空気の吹き出しによる洋式便器の飛沫防止。
【発明の詳細な説明】
【技術分野】
【０００１】本特許は、洋式便器に男性が放尿したとき、便器内の水面から小水が飛散し、床に飛び散るのを防ぐ事を目的とする。
【背景技術】
【０００２】従来男性が、洋式便器で立ったまま放尿すると、目には見えないが飛沫が床に飛散するため、家庭の主婦からの苦情が男性に寄せられる。
【特許の開示】
【特許が解決しようとする課題】
【０００３】主婦が男性に、座って小用をと言われるが、男の沽券に係わると中々応じる気配がない。男性が立ったまま放尿しても、床に飛沫が飛散させないようにする。
【課題を解決するための手段】
【０００４】本特許は、洋式便器の便座の内周下面に、斜め下方に向けて多数の穴を開けたパイプを設け、便座後部に取り付けた高圧の圧縮空気ポンプにて圧縮空気を送り、パイプの穴より斜め下方に吹き出させ、放尿時に跳ね返る飛沫を吹き出した空気により防ぐ。
【特許の効果】
【０００５】上記のように便座の内周下面より高圧空気を斜め下に吹き出させる事により、男性が立ったまま放尿する時、水面又は便器の内面に当たった飛沫が跳ね返っても、斜め下方に吹き出された空気により阻まれ、外部の床面等に飛び散る事がない。
又便座よりの空気の吹き出しで、便座に座って用便した時の跳ね返りがなく臀部に当たる事がない。
【特許を実施するための最良の形態】
【０００６】洋式便器に高圧の圧縮空気ポンプを内設し、便座蓋を上げるとポンプが作動し、便座又は便座受けの下面より圧縮空気が斜め下方に吹き出し、便器内の水面又は便器面に当たった尿の飛沫が、吹き出した空気に阻まれる。
【実施例】
【０００７】以下、添付図面に従って一実施例を説明する。
洋式便器１の便座２の内周下面３に、斜め下方に向けた多数の穴４を開けたパイプ５を取り付け、便座蓋６を上げると便器１の圧縮空気ポンプ７が作動し、圧縮空気がパイプ５に送られ、パイプの穴４より斜め下方の便器の水面８及び便器の内面９に放出し、放尿時のの便器内からの飛沫を、放出された圧縮空気１０により阻まれ、飛散するのを防ぐ。【０００８】洋式便器１の便座受け１１の内周下面１２に、斜め下方に多数の穴１３を開けた空洞１４を設け、圧縮空気ポンプ７より空洞１４に圧縮空気を送り、穴１３より圧縮空気１０を便器の水面８及び便器の内面９に放出し、放尿時の飛沫を放出された圧縮空気１０により防ぐ。
【図面の簡単な説明】
【０００９】
【図１】  便器内に圧縮空気ポンプを設けた側面図
【図２】  図１の平面図
【図３】  図２のＡーＡ’の一部断面図
【図４】  便器内に圧縮空気ポンプを設け便座を上げた側面図
【図５】  図４の平面図
【図６】  図５のＢ−Ｂ’の一部断面図
【符号の説明】  １        洋式便器
２        便座
３        便座２の下面
４        穴
５        パイプ
６        便座蓋
７        圧縮空気ポンプ
８        便器の水面
９        便器の内面
１０        圧縮空気
１１        便座受け
１２        便座受けの下面
１３        穴
１４        空洞
【図１】
2012026252.tif 000003
【図２】
2012026252.tif 000004
【図３】
2012026252.tif 000005
【図４】
2012026252.tif 000006
【図５】
2012026252.tif 000007
【図６】
2012026252.tif 000008
(57)【要約】      （修正有）【課題】上部建築物と地面の間に設置する震動エネルギーを運動エネルギーに転換して地震の震動エネルギーを自然消滅させるビリヤード式免震脚の提供。【解決手段】上部建築物１２の床裏１０に末端に円周の外側にリング７がはみ出たフランジ管６を固定させて、球１を底面に小孔４を開けた台２に球１の底面を地面１２に接触するように嵌めて、上向きにとび出た上半球にキャップ３を被せて、その上に、フランジ管６と側面で円筒８の入口９で摺動する円筒８の上部に充填物５をギッシリ詰め込んでキャップ３の上に積重ねる。【選択図】図１
2012026255.tif 000002
【特許請求の範囲】
【請求項１】
当該ビリヤード式免震脚は、建造物と地面との間に免震脚を設置して、免震脚中の下部の台の底面に開いている小孔を通して地面に接触するように球の下部半球を前記台に彫った縦穴に嵌めて、上方にとび出ている上部半球にキャップを被せて、前記建造物の床裏に、末端の外周部に縁が食み出るようにリングを嵌めたフランジ管を固定して、下に伸びる側壁と外側に嵌めた円管の上部で窄めた入口の内壁と接して上下に摺動すると同時に、前記円管の下方の直径を伸ばした円筒の空洞内部に砂利や小球の様な充填物をギッシリ詰め込み、前記底面で一部地面と接する下半球を載せた台の上半球に被せたキャップの上に積重ねて、前記キャップの外周壁と前記円筒管の内壁と接触して摺動するように連動させる構造にし、地震により前記充填物を上に押上げるので前記円筒管内に前記円柱管が上昇する空間の余地を作るので、縦揺れの地震を吸収する免震脚です。
【請求項２】
前記円筒管内で前記円柱管を上下運動させる為、当該免震脚内部に空間部を介在させて上部からの荷重を局部的に部材が単独で支持する構造を避けることによって、単独では部材の材料強度以上の荷重に対しても、建造物の荷重に対して支持力を維持するので、静止時に於いて、建造物等の上部荷重が、前記フランジ管を経て管内の充填物に伝わり、それが球を通して底面で接触する地面に伝達するので、上部全荷重が地面に構造的に集中する為、比較的狭い脚部断面積で在り乍、強大な支持力の免震脚です。
【請求項３】
当該ビリヤード式免震脚は、地震の震動を動力源として、免震脚中の球を回転運動させるか、前記球を載せてキャップを被せた円柱の上下運動をさせることによって、地震の震動エネルギーを運動エネルギーに変換して、摩擦や熱により自然消滅させて前記上部建造物等に震動が伝達するのを遮断する免震脚です。
【請求項４】
当該ビリヤード式免震脚を適用した建造物は、地震の横揺れの場合、建造物の床裏に免震脚中のフランジ管を固定するので、それと連結する地面と底面で接する球を載せた台の水平方向への移動を制御し、元の位置に留まった儘、水平方向に震動する地面に摩擦接触する球が台の内部で自転するので、摩擦による運動エネルギーの消滅に伴って静止する原理の免震脚です。
【発明の詳細な説明】
【背景技術】
【０００１】従来の耐震建築工法は、建造物の部材を強固に結び付けて固定することによって地震の震動による部材間の結び付きを維持することによって前記建造物の破損や倒壊の被害を防ぐ方法としている為、地震の震動が前記部材や結び付きの強度を上回るとき、建造物が破壊する結果になる。
【当該技術】
【０００２】当該技術は、地震動の震動を動力源として、地震動を建造物と地面の間に当該免震脚を設置することによって、前記建造物を支える脚柱部の部材を構成する球の回転運動と、前記球を載せる台とその上部半球に被せたキャップを嵌めて一体化した円柱の上下運動の運動エネルギーに転換することによって、縦揺れと横揺れの震動を共に自然消滅させて、地震動を上部の建造物に波及させない技術です。
【図面の簡単な説明】
【０００３】
【図１】当該ビリヤード式免震脚の断面図の一例
【符号の説明】
【０００４】１．球        ２．台        ３．キャップ        ４．台の底面の小孔
５．充填物        ６．フランジ管        ７．リング        ８．円筒
９．円筒の入口        １０．床裏        １１．建造物
１２．上部建築物      １３．床裏
【発明の詳細な説明】
【０００６】  当該ビリヤード式免震脚は、上部建築物（１２）の床裏（１０）に末端に円周の外側にリング（７）が食み出たフランジ管（６）を固定させて、球（１）を底面に小孔（４）を開けた台（２）に半球の底面を地面（１２）に接触するように嵌めて、上向きにとび出た上半球にキャップ（３）を被せて、その上に、前記フランジ管と側面で円筒（８）の入口（９）で摺動する円筒（８）の上部に充填物（５）をギッシリ詰め込んで前記キャップ（３）の上に積重ね、縦揺れの地震が前記台（２）を内蔵する円柱を上に押上げると、前記充填物（５）を押上げることによって、円筒（８）をフランジ管（６）の側壁と摺動させて地震の縦揺れの震動を上部建造物（１１）に伝えることなく円筒（８）内の円柱管の上下運動に転換することによって震動エネルギーを自然消滅させる免震脚で、同時に、上部建造物（１１）を支える床裏（１０）に固定したフランジ管（６）と連結する円環（８）内でやはり円筒（８）の内壁に囲まれた台（２）とキャップ（３）が一体化した円柱管が横にずれることなく元の位置の儘で底面の小孔（４）から食み出た球（１）の一部が移動する地面と接触して台（２）の内部で時点して回転運動により震動エネルギーを自然消滅させるので上部建造部物（１２）に震動を伝達しない免震脚です。
【図１】
2012026255.tif 000003
(57)【要約】【課題】  本発明の目的とするところは、騒音の発生を防止し、蓋の開閉を容易とし、蓋重量を軽量化し、ローリング現象を防止する鉄蓋構造を提供することを解決すべき技術的課題とする。【解決手段】    上記課題を解決するための技術的手段は、受枠の蓋受部を開口寸法から上に向かって末広がりに角度小なる円錐形とし、水平段部をもってその上に該円錐部よりやや大径で角度大なる円錐形を構成し、対応する蓋体は同じく２段の同一角度の円錐形で構成し、段部水平面には隙間を有する構成とするものである。【選択図】図１
2012026251.tif 000002
【特許請求の範囲】
【請求項１】
受枠の蓋受部を開口寸法から上に向かって末広がりに角度小なる円錐形とし、水平段部をもってその上に該円錐部上縁よりやや大径で角度やや大なる円錐形をもって構成し、対応する蓋体は同じく２段のそれぞれの同一角度の円錐形で構成し、段部水平面には隙間を有する構成とする事を特徴とする地中埋設鉄蓋
【発明の詳細な説明】
【技術分野】
【０００１】  本発明は、地中埋設の配線、配管等の構造物、下水道のメンテナンスに使用する開口部となる地中埋設鉄蓋に於いて、開閉する蓋体と受枠の係合部の構造に係る。【０００２】  上記部分は車両通過による騒音発生、蓋開閉の難易、強度と蓋重量との相関等色々な問題を抱えており、現在尚、完全な構造はない。
【背景技術】
【０００３】  従来、蓋受構造としては平受とテーパー受構造の２種類が普遍的なものとされており、前者は受枠に蓋体の上面と平行な底面を載置する平らな受面を有する構成であり、後者は受枠の蓋受面を下すぼまりの円錐形で構成し、対応する蓋体は該受枠の円錐形と雌雄の関係で構成するものであり、【０００４】  騒音発生について述べると、前者は叩き音が発生し易く、後者は無音で優れており、【０００５】  蓋開閉の難易について述べると、前者は問題なく、後者は時に食込み過ぎを生じて消火栓蓋の如く緊急開口を要する事態で対応できない場合があり、【０００６】  強度と蓋重量との相関について述べると、前者は両端（又は外周）自由支持梁（板）の強度計算に対して後者は両端（又は外周）固定支持梁（板）の強度計算となり、同一強度で所要肉厚が後者は半分程度で済み、軽量化に資する。【０００７】  後者の場合、偏荷重によるローリング現象を生じることがある。
【発明の開示】
【発明が解決しようとする課題】
【０００８】  本発明の目的とするところは、騒音の発生を防止し、蓋の開閉を容易とし、蓋重量を軽量化し、ローリング現象を防止する鉄蓋構造を提供することを解決すべき技術的課題とする。
【課題を解決するための手段】
【０００９】  上記課題を解決するための技術的手段は、受枠の蓋受部を開口寸法から上に向かって末広がりに角度小なる円錐形とし、水平段部をもってその上に該円錐部上縁よりやや大径で角度やや大なる円錐形をもって構成し、対応する蓋体は同じく２段のそれぞれの同一角度の円錐形で構成し、段部水平面には隙間を有する構成とするものである。
【発明を実施するための最良の形態】
【００１０】    以下、本発明の実施の形態について図面を用いて説明する。図１、に於いて１は開口部２を有する受枠であり、該開口部２の縁面を基点として角度βの上に開いた円錐面４及び水平段部５、さらにその上に該円錐面４より若干大径且つ角度βより大なる角度αの上に開いた円錐面６により構成し、３はそれぞれ前記円錐面４に対応する円錐面７及び前記水平段部５に対して空隙を設けて水平段部８及び前記円錐面６に対応する円錐面９を有する蓋体を示すものであり、【００１０】  これにより、外力である重力負荷の主応力は円錐面６、９が担持することにより角度αを適度に選べば、食込み現象を防止し、これにより起こり易いローリング現象は角度αより小なる角度βの円錐面４、７の担持によって防止するもである。【００１１】  図２は在来のテーパー受構造でローリング現象を説明するもので、受枠１１、蓋体１２の構成に於いて、蓋体１２の端面に偏荷重Ｐが印荷されると隙間１３の存在で端点１４を中心として反対側端点１５が矢印Ｑに持ち上がるものであり、範囲Ａの拡大図、図３に於ける角度１６と角度１７を比較すると、端点１５での矢印Ｑの接線に対して角度１６は逃げる方向にあり、滑りやすく、角度１７では食込み方向に働くため動かない状態となるものであり、この角度１６をα、角度１７をこれより少し大なるβとして組み込むことにより、食込みにくく、ローリング現象の発生を防止するものである。
【図面の簡単な説明】
【００１２】
【図１】本発明を実施した要部の閉蓋状態の正面断面図。
【図２】従来構造のテーパー受構造を実施した閉蓋状態の正面断面図。
【図３】図２に示すＡ部の拡大図。
【符号の説明】
【００１３】  １、受枠
２、開口部
３、蓋体
４、円錐面
５、水平段部
６、円錐面
７、円錐面
８、水平段部
９、円錐面
１１、受枠
１２、蓋体
１３  隙間
１４、端点
１５、反対側端点
１６、角度α
１７、角度β
【図１】
2012026251.tif 000003
【図２】
2012026251.tif 000004
【図３】
2012026251.tif 000005
(57)【要約】【課題】波のうねりを筏１の上下運動に変えて筏に取り付けたアーム６で水平運動に変換する、この水平運動は筏１と連結された筏１のうねりからアーム６とアーム６の動きが離れたり、近づいたりする水平運動が発生する。この運動エネルギーを波のうねりから受け取る為に筏の重さが関係するので重さがポンプ２のエネルギー容量となるため最大限の重量が必要となる。【解決手段】この筏１の水平運動エネルギーをアーム６に取り付けたポンプ２により圧力タンク４に導入してタンク４で集められた圧力によりタービンに直結した発電機３を回す。ポンプ２を回すためには水又は海水が必要でこれを循環させることでタービンと発電機３を回し、そこから排出される水又は海水をタンク５に入れて、さらにタンク５からポンプ２に送り込むことで繰り返し行うことが循環型として利用出来る。【選択図】図１
2012077680.tif 000002
【特許請求の範囲】
【請求項１】
波のうねりを連結した筏のうねりとした発電システム、
波のうねりを連結した筏のうねりが上下運動と捉えられ、その筏の上下運動を水平方向に変換するため、筏に取り付けたアームを垂直に取り付けることで、水平運動に変換され、ポンプの動きと連動し発電機を回す構造を特徴とする波動発電機。
【発明の詳細な説明】
【技術分野】
【０００１】
本考案は波のうねりを利用した波動発電に関するものである。                    
【背景技術】
【０００２】
エコエネルギーの利用形態は太陽光と風力の利用が主流であるが、地上で行う発電方法である。波（水力）のエネルギーは風力の約11倍のエネルギーを持っているのでこれからは地球で一番広い海を利用する方向でエコエネルギーの開発を進めなければならないと考察出来る。
【０００３】
しかし、海を利用する方法は権利を持たないと設置出来ないのが現実となっている。
設置方法は一部の団体に限られてくる。
【０００４】
今回、海上に工作物を設置出来るのか調査して設置可能であることがわかった。
この事業で事業収益を得ることが出来るので海の発電は可能となった。
【０００５】
さらに、日本は島々が多く発電コストはかなり高くヂーゼル発電機によるＣＯ２の発生量が多く早く開発が待たれているのが実情である。
【先行技術文献】
【特許文献】
【０００６】
【特許文献１】特開昭５５−１５１１７５
【発明の概要】
【発明が解決しようとする課題】
【０００７】
解決しょうとする問題点は複雑な地形と風向による波の方向に順応するシンプルな構造の波動発電を構築しようとするものである。
【課題を解決するための手段】
【０００８】
本発明は波のうねりに合わせ自由に動く筏の連結構造が主要な特徴で筏の重量が発電エネルギーの出力となり、この筏の連結がカギとなっている。
【発明の効果】
【０００９】
本発明の波動発電は波の持つエネルギーの上下運動をそのまま発電エネルギーに変換するシンプルな構造なためエネルギー損出を最大限抑えて発電できる利点がある。
【図面の簡単な説明】
【００１０】
【図１】図１は波のうねりが筏のうねりに変換する説明図である。
【図２】図２は波動発電装置の実施方法を示した説明図である。
【発明を実施するための形態】
【００１１】
海の上にトラス構造の筏を浮かべて三連、五連の筏を波の動きに合わせてうねらして  発電を行う。
【実施例１】
【００１２】
図１は波のうねりの周期に合わせて筏が動く様子を略図として描いたものであり、構造理論上説明に明記する必要があり略図として表示したものである。
【実施例２】
【００１３】
図２は筏の発電システムを表示している。
【００１４】
筏１は波の大きさにより長さや幅が変わる、波のエネルギーを十分に活用する為に筏１の重さを出来るだけ重くして運動エネルギーを大きく捉える。この筏１に垂直に取り付けたアーム６で波の上下運動を水平運動に変える。
【００１５】
アーム６は隣の筏にも同様に取り付け、アーム６と隣の筏に取り付けたアーム６の間にポンプ２を挟むようにつけてポンプ２のシリンダーに逆止弁を設置して逆流を防ぐこのポンプ２からホースで圧力タンク４に導く。
【００１６】
圧力タンク４に入った水は入り口に逆止弁を取り付け発電機３に取り付けたタービンを回して発電する仕組みとなっている。このタンクには空気も密閉された中に入れて圧力が均等に出力させるために入れる、さらにタンク４内が一定以上の圧力になった場合にそなえて減圧弁を設置して減圧弁からタンク５に流入させる。
【００１７】
発電機３を回した水は別のタンク５に集まりここから水ポンプ２に吸引され一連の動作に戻る。
【産業上の利用可能性】
【００１８】
海の上に設置する工作物であるので設置出来る業種は限られてくるので開発の中で重要なポイントとなる各種団体と設置可能であるか協議をして設置可能であることがわかり計画を進めている。
【符号の説明】
【００１９】
１  筏
２  水ポンプ
３  発電機
４  圧力タンク
５  タンク
６  アーム
【図１】
2012077680.tif 000003
【図２】
2012077680.tif 000004
(57)【要約】   【課題】 床面や壁等を利用する事なくドアとドア枠の隙間を利用し取り付け固定する為の持ち運びができるドアストッパーを提供する。【解決手段】ドア４を開けた時に生じるドア４とドア枠５の隙間にコ字状フレーム１を挿入し、コ字状フレーム１挿入口とは反対方向に伸びるステー２をドア枠５に密着させ、ドア厚調整器具３により、丸形固定部材３ｃをドアに締め付け固定させる事によりドア４を開けた状態まま固定させる。【選択図】  図１
2012077581.tif 000002
【特許請求の範囲】
【請求項１】
ドアを開けた状態のまま固定しておく事ができるドアストッパーであって、ドアを開けた時に生じるドア枠とドアの隙間からコ字状に形成したフレーム１をドアに挿入し、前記コ字状フレーム１挿入口とは反対方向に伸びるステー２をドア枠に密着させる事によりドアを固定させる事が出来る事を特徴とするドアストッパー。
【請求項２】
前記ドアストッパーのコ字状フレーム１には、ドアの厚さに合わせてフレームを固定する為の調整器具が設けられた事を特徴とするドアストッパー。
【発明の詳細な説明】
【技術分野】
【０００１】
本発明はドアを開けた状態のまま固定させる事が出来、必要に応じ取り付け取り外しが可能で持ち運びが出来るドアストッパーである。          
【背景技術】
【０００２】
従来のドアストッパーには、床面とドア底部の隙間に木や樹脂製等の止め具を挟み込みドアを固定させる物が有る（特許文献１参照）。
【０００３】
床に穴を開け止め具になる装置を設置し、ドアを固定させる物もある（特許文献２参照）。
【先行技術文献】
【特許文献】
【０００４】
【特許文献１】特開２００８−１１５５７３号公報
【特許文献２】特開２００８−２８０７７３号公報
【発明の概要】
【発明が解決しようとする課題】
【０００５】
以上に述べたドアストッパーの特許文献１においては、床面の清掃作業時ドアストッパー自体が作業の邪魔になったり、特許文献２のように床に穴を開けて装置を設置する事で床自体に傷を付ける等少なからず作業に手間と費用がかかる。
【０００６】
本発明品は取り付け取り外しが出来、持ち運びが可能な低コストのドアストッパーを提供する事が目的である。
【課題を解決するための手段】
【０００７】
上記に述べた問題を解決するため、請求項１の本発明は、ドアを開けた時に生じるドア枠とドアの隙間からコ字状に形成したフレーム１をドアに挿入し、前記コ字状フレーム１の挿入口とは反対方向に伸びるステー２をドア枠に密着させる事によりドアを固定させる事が出来る事を特徴とする。
【０００８】
請求項２の本発明は、前記ドアストッパーのコ字状フレーム１には、ドアの厚さに合わせてフレームを固定する為の調整器具が設けられた事を特徴とする。
【０００９】
上記に述べた手段により、装置を取り付ける為に床や壁に穴を開ける設置作業する事なく、又、清掃作業など軽作業時に邪魔になる事がなく取り付け取り外しが出来、持ち運びが可能なドアストッパーを提供する事が出来る。
【発明の効果】
【００１０】
従来の持ち運び可能なドアストッパーには、床とドアの隙間に木製や樹脂製のドア止め具を挟み込みドアを止める為の器具が有るが、特に清掃作業員は直接器具を床面に置きドアの底部に挟み込む為作業の邪魔になる事があったがこの装置でこの問題は解決される。
【００１１】
本発明品は取り付け取り外しが簡単に出来、持ち運びが可能でドアの開け閉めを頻繁に行う軽作業員、特に清掃作業員は本発明品の特徴であるドアを開けた時に生じるドア枠とドアの隙間を利用し本発明品をドアに取り付ける為、作業の邪魔になる事がなく便利な物となる。
【図面の簡単な説明】
【００１２】
【図１】本発明品をドアに取り付けた斜視図である。
【図２】本発明品をドアに取り付け上部から見た断面図である。
【図３】本発明品コ字状フレームとドア固定調整器具を上部から見た図である。
【図４】本発明品ステーの斜視図である。
【図５】本発明品コ字状フレームにドア固定調整器具とステー差込口にステーを取り付けた断面図である。
【図６】本発明品コ字状フレームにドア固定調整器具とステー差込口にステーを取り付けた斜視図である。
【図７】本発明品コ字状フレームの斜視図である。
【図８】本発明品ドア固定調整器具の側面図である。
【発明を実施するための形態】
【００１３】
図１はコ字状フレーム１にステー２を取り付けドア４を開けた時に生じるドア４とドア枠５の隙間から本発明品をドア４に挿入し取り付けた斜視図である。
【００１４】
ドア４とドア枠５の隙間からドア４に挿入したコ字状フレーム１はドア４の厚さに合わせ調整する為のドア固定調整器具３が有り、つまみ３ａを回す事によりねじ３ｂにより丸形ドア固定部材３ｃでドア４を締め付け固定する。
【００１５】
ドア固定調整器具３には丸型ドア固定部材３ｃを前後左右自在に角度が変えられ、３６０度回転出来る部材３ｄが設けられておりこれにより本発明品をドア４に固定する事が容易にできる。又、図7の様にドア固定調整器具３が無いコ字状フレーム１であってもドア４とドア固定調整器具３取り付け側フレームの間に木製や樹脂製等の楔を差し込んだり、紙製や布製等の物を間に入れてコ字状フレーム１をドア４に固定させる事も可能である。
【００１６】
コ字状フレーム１にはステー２を取り付ける為の差込口１ａが有り、ステーの形状を変える事でドア４の開閉角度の違いに対応する事が出来る。又、差込口１ａがなくステー２が予めコ字状フレーム１のドア４挿入口反対方向に取り付けられた構造でも構わない。
【００１７】
ステー２はドア枠５に密着させコ字状フレーム１をドア４に固定する為にドア枠５の形状に対応できる様に柔軟性がある。
【００１８】
図２の断面図の様にコ字状フレーム１をドア４とドア枠５の隙間からドア４に挿入し固定させ、コ字状フレーム１挿入側とは反対方向に伸びるステー２をドア枠５側に密着させドア４を開けたままの状態で固定させる。
【符号の説明】
【００１９】
１  コ字状フレーム
１ａステー差込口
２  ステー
３  ドア固定調整器具
３ａ  調整器具ネジ回転つまみ
３ｂ  調整器具ネジ部
３ｃ  丸型ドア固定部材
３ｄ  前後左右自在に角度が変えられ３６０度回転可能な部材
４  ドア
５  ドア枠
【図１】
2012077581.tif 000003
【図２】
2012077581.tif 000004
【図３】
2012077581.tif 000005
【図４】
2012077581.tif 000006
【図５】
2012077581.tif 000007
【図６】
2012077581.tif 000008
【図７】
2012077581.tif 000009
【図８】
2012077581.tif 000010
(57)【要約】【課題】  現在の網戸では、幼児でも簡単に開閉できてしまい、網の部分を押せば幼児の力でも破る事が可能なため、目を離した隙に子供がベランダに出てしまう危険があった。本発明は、幼児の脱出を防止するためのストッパー付き網戸を提供する。【解決手段】  （イ）  ストッパー付き網戸の網部分に縦棒を入れた格子にする事で、幼児が網を破って脱出する事を防止する。  （ロ）  網戸左右どちらかの縦枠部分にスイッチ式のストッパーを設ける事によって、幼児が勝手に戸を開けて外に出る事を防止する。【選択図】図１
2012077595.tif 000002
【特許請求の範囲】
【請求項１】
網戸の網の部分に、格子を設けたことを特徴とする外部脱出防止用網戸。
【請求項２】
網戸が開閉出来ないように網戸にストッパー部を設けた請求項１の外部脱出防止用網戸。
【発明の詳細な説明】
【技術分野】
【０００１】  本発明は、ベランダや窓に使用する網戸に関するものである。
【背景技術】
【０００２】  従来、アルミサッシ用の網戸は、アルミ枠に直接網が張られ、極めて容易に開け閉め出来る虫除け用の網戸が実用に供せられている。
【発明の概要】
【発明が解決しようとする課題】
【０００３】  現在の網戸では、幼児でも簡単に開閉できてしまい、網の部分を押せば幼児の力でも突き破る事が可能な為、目を離した隙に子供がベランダに出てしまう危険があった。
本発明は、以上の問題点を解決するためになされたものである。
【課題を解決するための手段】
【０００４】  網戸の網の部分に、格子を設けたことを特徴とする外部脱出防止用網戸。【０００５】  更に、請求項２において、網戸が開閉出来ないように網戸にストッパー部を設けたことである。
【発明の効果】
【０００６】  本発明の外部脱出防止用網戸を使用することで、目を離した隙に子供が戸を開けて脱出する、及び網を突き破って外に脱出する事を防止する。【０００７】  常にストッパーを使用する事で、反対側のガラス戸も開ける事が出来なくなるため、反対側のガラス戸を開けて脱出する事も防止する。
【図面の簡単な説明】
【０００８】
【図１】本発明の正面図
【図２】本発明のストッパーの分解斜視図
【図３】本発明のストッパー部分の作動状態図
【図４】本発明の使用方法及び使用状態図
【発明を実施するための形態】
【０００９】以下、本発明の実施の形態を図面に基づいて説明する。
（イ）  網戸（１）の網部分に縦棒（２）を複数設けて格子にする（図１）。
この格子は、幼児等が網戸（１）の網を突き破ることを防止するための物であり、従って、幼児等が突き破ることの出来ない隙間と強度を持たせることが望ましい。
（ロ）  スイッチ部（３）の底面に溝（４）を設け、更に、側面に小穴（５）を設ける。（図２）
（ハ）  ボタン（７）の側面には凸部（８）（８Ａ）を設ける。
（ニ）  底面の溝（４）とボタン（７）の間に挟み具（６）を入れ、側面の小穴（５）（５Ａ）にそれぞれ凸部（８）（８Ａ）を差し込む。
（ホ）  網戸（１）の縦枠（９）にスイッチ部（３）を埋め込む。（図４）
この時図４（ａ）では、スイッチ部（３）と網戸の関係は、網戸（１）を自由に開閉できる状態であって、且つ、スイッチ部（３）のボタン（７）を押してストッパーを作動させた場合（図４（Ｃ））、網戸（１）を横にスライドさせ開けようとしても、ガラス戸（１０）のガラス戸枠部分（１１）にボタン（７）（図４（Ｃ））が突き当たって、網戸（１）を開く事のできない状態になる様に取り付ける。
【００１０】  本発明を使用するときは、網戸（１）を所定の位置に取り付け、スイッチ部（３）のボタン（７）を押すとボタン（７）の肉薄の部分が、凸部（８）の小穴（５）を軸にシーソー運動をする。このため、ボタン（７）の側面がスイッチ部（３）より突出し、網戸（１）を開けるためにスライドさせようとしても、ガラス戸（１０）のガラス戸枠部分（１１）に突出したボタン（７）が当たり開かなくなる。またガラス戸（１０）をスライドして開けようとした場合も、スイッチ部（３）の突出したボタン（７）（図４（Ｃ））がガラス戸枠（１１）に当たるため、開かなくなる。
網戸（１）及びガラス戸（１０）を開ける時は、スイッチ部（３）の突出しているボタン（７）を押す。すると突出していたボタン（７）が平らになり、突出部分がなくなるため、網戸（１）、ガラス戸（１０）共に開けることが可能となる。
【００１１】  従って、幼児が網戸（１）の網を強く押し、網を突き破ったとしても、縦棒（２）があるため脱出することができない。
【００１２】  また、スイッチ部（３）のボタン（７）を押してストッパーを作動させることにより、網戸（１）も反対側のガラス戸（１０）も開かなくなるため、常時作動させておくことにより、幼児がベランダに脱出することを防止する。
【符号の説明】
【００１３】１．網戸
２．縦棒
３．スイッチ部
４．溝
５．小穴
６．挟み具
７．ボタン
８．凸部
９．縦枠
１０．ガラス戸
１１．ガラス戸枠部分
【図１】
2012077595.tif 000003
【図２】
2012077595.tif 000004
【図３】
2012077595.tif 000005
【図４】
2012077595.tif 000006
(57)【要約】【課題】  本発明は、女性のバストをカバーするためのブラジャーにおいて、胸部被服部、および、背部被服部のアンダーバスト部はゴム等で締め付けない形状にすること、胸部被服部の内側にバストをカバーする乳房被服部を設けたことを特徴とする締め付けないブラジャーを提供する。【解決手段】  ブラジャーの胸部被服部（１）のアンダーバスト部（４）は、ゴム等で締め付けない形状にし、ブラジャーの背部被服部（２）のアンダーバスト部（４）は、ゴム等で締め付けない形状にし、胸部被服部（１）の内側に乳房被服部（３）を設け特徴とする締め付けないブラジャー。【選択図】図１
2012077427.tif 000002
【特許請求の範囲】
【請求項１】
ブラジャーの胸部被服部（１）のアンダーバスト部（４）は、ゴム等で締め付けない形状にし、ブラジャーの背部被服部（２）のアンダーバスト部（４）は、ゴム等で締め付けない形状にし、胸部被服部（１）の内側に乳房被服部（３）を設け特徴とする締め付けないブラジャー。
【発明の詳細な説明】
【技術分野】
【０００１】  本発明は、女性のバストをカバーするためのブラジャーにおいて、胸部被服部、および、背部被服部のアンダーバスト部はゴム等で締め付けない形状にすること、胸部被服部の内側にバストをカバーする乳房被服部を設けたことを特徴とする締め付けないブラジャーに関するものである。
【背景技術】
【０００２】  従来のブラジャーは、乳房を支え、形を整えることを基本的目的としている。
乳房を下から支え、カップによって形を整えるようになっているため、カップ部分が胸部に密着するようにホックのついたベルトでアンダーバストを締め付ける構造になっている。
また、かぶるタイプのブラジャーでは、アンダーバスト部にゴム等を使用して締め付けている。
【発明の概要】
【発明が解決しようとする課題】
【０００３】  このように、従来のブラジャーは、アンダーバストを締め付けることにより乳房を支えている形状のため、装着中に肉体的圧迫感、疲労感及び不快感を覚える。
肌の弱い人が装着中に肌疾患を患うという問題もあった。
年配者や腕の運動自由度の低い者にとって着脱の際の負担も大きい。
とはいえ、外観の問題からブラジャーをつけないままでは上に着る衣服の選択の自由度に制限が課せられる。
かかるブラジャー着用中の肉体的圧迫感、疲労感、および、不快感から女性を解放すると共に、着脱を容易にし、衣服の選択をより自由にするためになされたものである。
【課題を解決するための手段】
【０００４】  ブラジャーの胸部被服部（１）のアンダーバスト部（４）は、ゴム等で締め付けない形状にし、ブラジャーの背部被服部（２）のアンダーバスト部（４）は、ゴム等で締め付けない形状にし、胸部被服部（１）の内側に乳房被服部（３）を設ける。
以上のように構成された締め付けないブラジャー。
【発明の効果】
【０００５】  このような構造となっていることから、胸部を締め付けることがなくなり、肉体的な圧迫感や疲労感、および、不快感を軽減することができる。
肌に強く密着しないため肌疾患の発生を減少させることができる。
着脱が容易になる。
バストトップを気にすることがなく衣服が選べる。
バストの大きさ、形にかかわらず着用できる。
加えて下から軽くめくるだけで授乳も容易にできる。
【図面の簡単な説明】
【０００６】
【図１】本発明の具体的実施例の胸部被服部の内面図。
【図２】本発明の具体的実施例の背面図。
【図３】本発明の具体的実施例の胸部被服部の正面図。
【発明を実施するための形態】
【０００７】  以下、本発明の実施の形態を説明する。
（イ）ブラジャーの胸部被服部（１）のアンダーバスト部（４）は、ゴム等で締め付けな    い形状とする。
（ロ）ブラジャーの背部被服部（２）のアンダーバスト部（４）は、ゴム等で締め付けな    い形状とする。
（ハ）胸部被服部（１）の内側に乳房被服部（３）を設ける。
本発明は以上のような構造である。
乳房被服部（３）はバストをカバーするパッド（または、生地を何枚か重ねたもの）を直接縫い付けるか、あるいは、乳房被服部（３）を袋状にしてパッドを入れる等してパッドを着脱可能にすることもできる。
【符号の説明】
【０００８】１  胸部被服部
２  背部被服部
３  乳房被服部
４  アンダーバスト部
【図１】
2012077427.tif 000003
【図２】
2012077427.tif 000004
【図３】
2012077427.tif 000005
(57)【要約】【課題】  従来とは全く異なる発想のデザインが施されたデニム生地およびこれを用いたジーンズを得るようにする。【解決手段】  デニム生地で構成されたジーンズ１に定着剤３を塗布して乾燥させ、その上に銀箔６等の金属箔を展着させた後、硫化鉄溶液等の薬剤を介して前記金属箔を加熱することにより、前記金属箔がジーンズ１に焼き付けれている。焼き付けられた金属箔によって、ジーンズに艶やかな光沢が付与される。【選択図】  図７
2012077425.tif 000002
【特許請求の範囲】
【請求項１】
金属箔が焼き付けられたデニム生地。
【請求項２】
金属箔が銀箔である請求項１記載のデニム生地。
【請求項３】
生地に定着剤を塗布する工程と、塗布した定着剤を乾かす工程と、乾かされた定着剤上に金属箔を展着させる工程と、展着された金属箔を薬剤を介在させつつ、加熱する工程とによって得られる請求項１または請求項２記載のデニム生地。
【請求項４】
薬剤が硫黄または硫黄化合物である、請求項３記載のデニム生地。
【請求項５】
請求項１〜請求項４のうちのいずれか一項記載のデニム生地で構成されたジーンズ。
【発明の詳細な説明】
【技術分野】
【０００１】
本発明は、金箔や銀箔等の金属箔が付着されたデニム生地およびこれを用いたジーンズに関する。
【背景技術】
【０００２】
デニム生地は、通常、濃紺色等に染色した経糸に対して漂白した緯糸を織り込まれ、全体として経三枚綾か経四枚綾とした厚地の綿織物であり、インディゴ染料を用いて前記濃紺等に染色されたものである。そして、前記デニム生地は一般的にはジーンズに広く用いられている。
【先行技術文献】
【非特許文献】
【０００３】
【非特許文献１】ジーンズカジュアルリーダー  ２００８版  アルブランド
【発明の概要】
【発明が解決しようとする課題】
【０００４】
しかしながら、ジーンズは、前述したように、そのデザインが定型化しており、ファッション的に斬新性や個性を演出し難い面がある。
【０００５】
そのため、新品のジーンズを何度も洗濯したり、漂白剤で色落ちさせたり、ヤスリ等で傷を付けたり、破いたりという所謂、ダメージ加工が施されたり、アクセサリーとして種々の金具類が取り付けられているが、近年では、このようなダメージ加工や金具装飾も一般化してきており、斬新なデザイン性が求められている。
【０００６】
本発明の目的には、従来とは全く異なる発想のデザインが施されたデニム生地およびこれを用いたジーンズを提供することにある。
【課題を解決するための手段】
【０００７】
請求項１記載の本発明は、金属箔が付着されたデニム生地である。金属箔としては、銀箔の他、金箔やアルミニウム箔等が挙げられる。また、金属箔の付着方法としては、後述する焼付けの他、接着剤等よる接着やラッカー等による塗着が挙げられる。
【０００８】
請求項２記載の本発明は、金属箔が銀箔であることを特徴とするものである。
【０００９】
請求項３記載の本発明は、前記請求項１または請求項２記載のデニム生地が、生地に定着剤を塗布する工程と、塗布した定着剤を乾かす工程と、乾かされた定着剤上に金属箔を展着させる工程と、展着された金属箔を薬剤を介在させつつ、加熱する工程とによって得られることを特徴とするものである。
【００１０】
請求項４記載の本発明は、前記請求項３記載のデニム生地について、薬剤が硫黄または硫黄化合物であることを特徴とするものである。
【００１１】
請求項５記載の本発明は、前記請求項１〜請求項４のうちのいずれか一項記載のデニム生地で構成されたジーンズである。
【００１２】
なお、本発明に係るデニムは、前述したジーンズの他、かばんや袋物、或いは財布等といった種々の物品の構成材料としても用いることができる。
【発明の効果】
【００１３】
本発明のデニム生地は、金属箔が付着されたものであるため、デニムの持つ自然な風合いと金属箔が奏する無機的で艶やかな外観とが相俟って従来とは全く異なる斬新なデザイン性が得られる。
【００１４】
金属箔として銀箔を用いた請求項２記載のデニム生地によれば、前記デザイン性に加えてシャープな美感が得られるという利点がある。
【００１５】
請求項３および請求項４記載の各工程によって得られるデニム生地は、金属箔が簡単且つ確実に焼き付けられ、またこの効果は特に銀箔について顕著である。
【００１６】
請求項５記載のジーンズは、これまでのジーンズのデザインの枠を超える斬新なものとなり得る。
【図面の簡単な説明】
【００１７】
【図１】実施形態に係るジーンズにおいて、定着剤を塗布する工程を示す斜視図である。
【図２】実施形態に係るジーンズにおいて、定着剤の乾燥工程を示す斜視図である。
【図３】定着剤の乾燥後における銀箔の載置工程を示す斜視図である。
【図４】ジーンズ上に載置した銀箔を押える工程を示す斜視図である。
【図５】ジーンズ上に銀箔が展着された状態を示す斜視図である。
【図６】銀箔をジーンズ上に焼き付ける工程を示す斜視図である。
【図７】銀箔が焼き付けられたジーンズの筒部分の拡大正面図である。
【発明を実施するための形態】
【００１８】
次に、本発明に係るジーンズの実施形態を図面にしたがって説明するが、本発明はかかる実施形態に限定されるものではない。
【００１９】
図１に示すように、予め表面或いは更に裏面にも目止め処理を行ったジーンズ１の表面にヘラ２を用いて定着剤３を薄く均等に塗布し、次に図２に示すように、ドライヤー４で前記定着剤３を乾かす。
【００２０】
その後、図３に示すように、前記ジーンズ１の表面にピンセット５を使って銀箔６をジーンズ１の長さ方向に一列に載置し、次に図４に示すように、厚紙７を前記銀箔６の上に載せて手で押えることにより、図５に示すように、ジーンズ１上に銀箔６が展着された状態となる。そして、展着された銀箔６上に硫黄が含浸または付着された紙８を載置し、該紙８にアイロン９を押し当てることにより、前記銀箔６を加熱する。その結果、図７に示すように、ジーンズ１の表面全面に銀箔６がまだら模様に焼き付けられる。
【００２１】
なお、本実施形態では、銀箔６はジーンズ１の全面に焼き付けられているが、筒部分やポケット付近のみといった一部にアクセントとして焼き付けるようにしても良い。
【産業上の利用可能性】
【００２２】
本発明によれば、デニム生地に銀箔等の金属箔が焼き付けられているため、従来のデニム生地とは全く異なる美感が得られることから、アパレル業界等において幅広い利用が期待できる。
【符号の説明】
【００２３】
１  ジーンズ
２  ヘラ
３  定着剤
６  銀箔
７  厚紙
【図１】
2012077425.tif 000003
【図２】
2012077425.tif 000004
【図３】
2012077425.tif 000005
【図４】
2012077425.tif 000006
【図５】
2012077425.tif 000007
【図６】
2012077425.tif 000008
【図７】
2012077425.tif 000009